(57)【要約】【課題】収納容器内に断熱板が配置された構成において、素早く容易に折り畳んだり組み立てたりする。【解決手段】収納容器の４つの側面１２ａ〜１２ｄのうち互いに対向する１組の側面１２ａ，１２ｂがそれぞれ、側面１２ａ，１２ｂの上下の端辺をそれぞれ第１の辺とし、第１の辺間に第２の辺を共通に有し、第１の辺が第２の辺よりも長い２つの等脚台形領域１４ａ，１４ｂからなる領域が、等脚台形領域１４ａ，１４ｂの脚と側面１２ａ，１２ｂの側面１２ｃ，１２ｄとの連接辺とで囲まれた三角領域１６ａ，１６ｂよりも硬く、かつ、第２の辺にて折り畳み可能に構成されている。【選択図】図１
2017095176.tif 000002
【特許請求の範囲】
【請求項１】
天面が開閉自在に構成され、少なくとも側面が可撓性部材からなる直方体または立方体の収納容器と、
前記収納容器の４つの側面の内側にそれぞれ重ね合わされるように配置され、前記収納容器の底面側の端辺を中心として前記側面の内側に重ね合わされた状態から前記底面に対向する状態まで回動自在に構成された４つの断熱板とを有し、
前記４つの側面のうち互いに対向する１組の側面はそれぞれ、当該側面の上下の端辺に沿う領域をそれぞれ第１の辺とし、該第１の辺間に第２の辺を共通に有し、前記第１の辺が前記第２の辺よりも長い２つの略等脚台形からなる領域を備え、
当該領域は、当該領域の外側のうち、前記２つの略等脚台形の脚と当該側面の他の側面との連接辺とで囲まれた領域よりも硬く、かつ、前記第２の辺にて折り畳み可能に構成されている、保冷箱。
【発明の詳細な説明】
【技術分野】
【０００１】
本発明は、物品を収容して保冷する保冷箱に関し、特に、折り畳み可能な保冷箱に関する。
【背景技術】
【０００２】
物流システムにおいては、物品を一定温度、例えば低温で輸送するサービスが、陸送、空輸を問わず提供されている。物品を低温で輸送する場合は、例えば、断熱性を有する保冷箱に物品とともに保冷材を収容し、この保冷材の冷気によって物品を保冷しながら輸送することが考えられる。また、倉庫内にて物品を低温で保管する場合も同様に、断熱性を有する保冷箱に物品とともに保冷材を収容し、保冷材の冷気によって物品を保冷しながら保管することが考えられる。
【０００３】
このような保冷箱としては、外箱内に、板状の断熱材を外箱の内壁に重ね合わせるように配置したものが考えられている（例えば、特許文献１参照）。このように外箱となる収納容器内に板状の断熱板を配置した構成の保冷箱を用いることで、断熱性を有する箱体を用いることなく、物品を保冷することができる。
【先行技術文献】
【特許文献】
【０００４】
【特許文献１】特開２００３−１８２７７７号公報
【発明の概要】
【発明が解決しようとする課題】
【０００５】
近年、上述したように、保冷箱を用いて物品を低温で輸送することが多く行われており、そのため、低温で物品を輸送する場合も、常温で物品を輸送する場合に近い取り扱いやすさが求められている。その１つとして、常温で物品を輸送する際に利用されるコンテナと同様に保冷箱を素早く容易に折り畳んだり組み立てたりすることが求められる。
【０００６】
しかしながら、上述したように収納容器内に板状の断熱材を配置した保冷箱を折り畳む場合、例えば、収納容器から断熱材を取り出して収納容器を折り畳むこととなり、素早く容易に折り畳んだり組み立てたりすることができない。そこで、可撓性を有するシートから収納容器を構成し、収納容器内に板状の断熱材が配置された状態で収納容器を折り畳むことが考えられるが、その場合、収納容器が可撓性を有することから、折り畳まれる際にきれいに折り畳まれずにくしゃくしゃになりやすく、折り畳んだり組み立てたりする際に手間取ってしまい、素早く容易に折り畳んだり組み立てたりすることができるとは言い難い。また、収納容器が可撓性を有する場合、収納容器内に配置された板状の断熱材を組み立てにくくなってしまい、これによっても、素早く容易に折り畳んだり組み立てたりすることができるとは言い難い。
【０００７】
本発明は、上述したような従来の技術が有する問題点に鑑みてなされたものであって、収納容器内に断熱板が配置された構成において、素早く容易に折り畳んだり組み立てたりすることができる保冷箱を提供することを目的とする。
【課題を解決するための手段】
【０００８】
上記目的を達成するために本発明は、
天面が開閉自在に構成され、少なくとも側面が可撓性部材からなる直方体または立方体の収納容器と、
前記収納容器の４つの側面の内側にそれぞれ重ね合わされるように配置され、前記収納容器の底面側の端辺を中心として前記側面の内側に重ね合わされた状態から前記底面に対向する状態まで回動自在に構成された４つの断熱板とを有し、
前記４つの側面のうち互いに対向する１組の側面はそれぞれ、当該側面の上下の端辺に沿う領域をそれぞれ第１の辺とし、該第１の辺間に第２の辺を共通に有し、前記第１の辺が前記第２の辺よりも長い２つの略等脚台形からなる領域を備え、
当該領域は、当該領域の外側のうち、前記２つの略等脚台形の脚と当該側面の他の側面との連接辺とで囲まれた領域よりも硬く、かつ、前記第２の辺にて折り畳み可能に構成されている。
【０００９】
上記のように構成された本発明においては、４つの断熱板を、可撓性部材からなる収納容器の側面に重ね合わされた状態から底面に対向する状態にそれぞれ回動させた後、収納容器の上端部を下方に押し付けるようにすると、収納容器の４つの側面のうち互いに対向する１組の側面がそれぞれ、その側面の上下の端辺に沿う領域をそれぞれ第１の辺とし、第１の辺間に第２の辺を共通に有し、第１の辺が第２の辺よりも長い２つの略等脚台形からなる領域が、当該領域の外側のうち、２つの略等脚台形の脚と当該側面の他の側面との連接辺とで囲まれた領域よりも硬く、かつ、第２の辺にて折り畳み可能に構成されているので、その１組の側面においては、２つの略等脚台形からなる領域が、第２の辺となる部分が頂点となって収納容器の内側に向かって凸となるように折り畳まれていくとともに、２つの略等脚台形からなる領域の外形に沿って折り畳まれ、２つの略等脚台形の脚と、その側面の他の側面との連接辺とで囲まれた領域が、略等脚台形からなる２つの領域に挟まれるように折り畳まれていく。そして、１組の側面がこのように折り畳まれていくことで、他の側面においては、１組の側面との連接部分の近傍が、略等脚台形からなる２つの領域に挟まれるように高さ方向中央部分にて折り畳まれていく。これにより、収納容器がくしゃくしゃにならずに決められた形状に折り畳まれていき、保冷箱がきれいに折り畳まれることになる。またその際、２つの略等脚台形からなる領域が硬いことで収納容器の側面が略伸張状態となりやすく、それにより、断熱板を回動させやすくなる。また、このように折り畳まれた保冷箱を組み立てる場合は、収納容器の上端部を上方に引き上げるようにして側面を伸ばした後、４つの断熱板を、底面に対向する状態から側面に重ね合わされた状態にそれぞれ回動させる。
【００１０】
このように、４つの断熱板を回動させるとともに、収納容器の上端部を下方に押し付けるようにするだけで、収納容器がくしゃくしゃにならずに決められた形状に折り畳まれることとなるとともに、２つの略等脚台形からなる領域が硬いことで収納容器の側面が略伸張状態となりやすく、それにより、素早く容易に保冷箱を折り畳んだり組み立てたりすることができる。
【発明の効果】
【００１１】
本発明においては、収納容器の４つの側面のうち互いに対向する１組の側面がそれぞれ、その側面の上下の端辺をそれぞれ第１の辺とし、第１の辺間に第２の辺を共通に有し、第１の辺が第２の辺よりも長い２つの略等脚台形からなる領域が、当該領域の外側のうち、２つの略等脚台形の脚と当該側面の他の側面との連接辺とで囲まれた領域よりも硬く、かつ、第２の辺にて折り畳み可能に構成されているため、４つの断熱板を、収納容器の側面に重ね合わされた状態から底面に対向する状態にそれぞれ回動させた後、収納容器の上端部を下方に押し付けるようにすることで、収納容器がくしゃくしゃにならずに決められた形状に折り畳まれ、また、収納容器の上端部を上方に引き上げるようにして側面を伸ばした後、４つの断熱板を、底面に対向する状態から側面に重ね合わされた状態にそれぞれ回動させることで、保冷箱が組み立てられることとなり、収納容器内に断熱板が配置された構成において、素早く容易に折り畳んだり組み立てたりすることができる。また、２つの略等脚台形からなる領域が硬いことで、保冷箱を組み立てる際に収納容器の側面が略伸張状態となりやすくなり、それにより、断熱板を回動させやすく、保冷箱を素早く容易に組み立てることができる。
【図面の簡単な説明】
【００１２】
【図１】本発明の保冷箱の実施の一形態を示す外観斜視図であり、（ａ）は天面が開かれた状態を示す図、（ｂ）は天面が閉じられた状態を示す図、（ｃ）は折り畳まれた状態を示す図である。
【図２】図１に示した保冷箱における１組の側面の構成を示す断面図であり、（ａ）は保冷箱が折り畳まれていない状態を示す図、（ｂ）は保冷箱が折り畳まれる際の状態を示す図である。
【図３】図１に示した保冷箱における他の組の側面の構成を示す断面図であり、（ａ）は保冷箱が折り畳まれていない状態を示す図、（ｂ）は保冷箱が折り畳まれる際の状態を示す図である。
【図４】図１〜図３に示した保冷箱の折り畳み方法を説明するための外観斜視図である。
【図５】図１〜図３に示した保冷箱において断熱板を倒していく際の作用を説明するための断面図である。
【図６】図１〜図３に示した保冷箱において断熱板を倒していく際の作用を説明するための断面図である。
【図７】図１〜図３に示した保冷箱において収納容器を折り畳む際の側面の作用を説明するための図である。
【図８】図１〜図３に示した保冷箱の組み立て方法を説明するための外観斜視図である。
【図９】本発明の保冷箱の他の実施の形態を示す外観斜視図であり、（ａ）は天面が開かれた状態を示す図、（ｂ）は天面が閉じられた状態を示す図、（ｃ）は折り畳まれた状態を示す図である。
【図１０】図９に示した保冷箱において断熱板がそれぞれ底面に対向する状態に倒された状態を示す断面図である。
【図１１】本発明の保冷箱の他の実施の形態を示す外観斜視図であり、（ａ）は天面が開かれた状態を示す図、（ｂ）は天面が閉じられた状態を示す図、（ｃ）は折り畳まれた状態を示す図である。
【発明を実施するための形態】
【００１３】
以下に、本発明の実施の形態について図面を参照して説明する。
【００１４】
図１は、本発明の保冷箱の実施の一形態を示す外観斜視図であり、（ａ）は天面が開かれた状態を示す図、（ｂ）は天面が閉じられた状態を示す図、（ｃ）は折り畳まれた状態を示す図である。図２は、図１に示した保冷箱における１組の側面の構成を示す断面図であり、（ａ）は保冷箱が折り畳まれていない状態を示す図、（ｂ）は保冷箱が折り畳まれる際の状態を示す図である。図３は、図１に示した保冷箱における他の組の側面の構成を示す断面図であり、（ａ）は保冷箱が折り畳まれていない状態を示す図、（ｂ）は保冷箱が折り畳まれる際の状態を示す図である。
【００１５】
本形態は図１〜図３に示すように、蓋部１１ａ，１１ｂ、側面１２ａ〜１２ｄ及び底面１３からなる直方体の収納容器の内側に、断熱板２１ａ，２１ｂ，２２ａ〜２２ｄ，２３が配置されて構成されている。
【００１６】
蓋部１１ａ，１１ｂは、可撓性を有する２枚のアルミシートが重ね合わされて構成されており、蓋部１１ａは側面１２ｃの天面側の端辺と連接し、また、蓋部１１ｂは、側面１２ｃに対向する側面１２ｄの天面側の端辺と連接し、蓋部１１ａ，１１ｂが、側面１２ｃ，１２ｄとの連接辺を中心としてそれぞれ回動することで、収納容器の天面が開閉自在に構成されている。そのため、蓋部１１ａ，１１ｂは、側面１２ｃ，１２ｄとの連接方向の長さが、蓋部１１ａ，１１ｂが閉じられた場合にその一部が重なる長さとなっている。
【００１７】
蓋部１１ａ，１１ｂは、収納容器の内側となる面に、互いに同一の形状を有する断熱板２１ａ，２１ｂがそれぞれ取り付けられている。断熱板２１ａは、蓋部１１ａに対向しない面の全面がアルミシートで覆われており、蓋部１１ａ，１１ｂが閉じられた場合に、側面１２ａ〜１２ｃに重ね合わされた断熱板２２ａ〜２２ｃ及び蓋部１１ｂと干渉しないように蓋部１１ａの周縁部から断熱板２２ａ，２２ｂの厚み分だけ内側の略全面に取り付けられている。断熱板２１ｂは、蓋部１１ｂに対向しない面の全面がアルミシートで覆われており、蓋部１１ｂが閉じられた場合に、側面１２ａ，１２ｂ，１２ｄに重ね合わされた断熱板２２ａ，２２ｂ，２２ｄと干渉しないように蓋部１１ｂの側面１２ｄとの連接辺及びそれに繋がる辺に沿う領域を避けて略全面に取り付けられている。これにより、蓋部１１ａ，１１ｂは、側面１２ｃ，１２ｄとの連接方向の長さが、互いに重なる領域分だけ蓋部１１ａの方が長くなっている。
【００１８】
蓋部１１ａには、収納容器の内側となる面のうち、蓋部１１ａ，１１ｂが閉じられた場合に蓋部１１ｂに重なる領域に面ファスナー３１が取り付けられている。また、蓋部１１ｂには、収納容器の外側となる面のうち、蓋部１１ａ，１１ｂが閉じられた場合に蓋部１１ａに重なる領域に面ファスナー（不図示）が取り付けられている。また、蓋部１１ａ，１１ｂには、収納容器の外側となる面のうち、側面１２ｃ，１２ｄとの連接辺に繋がる辺に沿う領域に、それぞれ面ファスナー（不図示）が取り付けられている。なお、蓋部１１ａ，１１ｂはそれぞれ、断熱板２１ａ，２１ｂが取り付けられていない領域において、一定の強度を保持するために２枚のアルミシート間に、ポリプロピレンからなる１ｍｍ厚の樹脂シート（不図示）が介在している。また、蓋部１１ａと面ファスナー３１との間には、蓋部１１ａを開けやすくするための、取っ手２９が取り付けられている。
【００１９】
底面１３は、可撓性を有するシートで構成されており、収納容器の内側となる面に、底面１３に対向しない面の全面がアルミシートで覆われた断熱板２３が取り付けられている。また、底面１３の収納容器の外側となる面には、側面１２ａ，１２ｂとの連接辺の近傍にベルト２８が取り付けられている。このベルト２８は、一端が底面１３に取り付けられ、他端の一方の面に面ファスナー３３が取り付けられている。
【００２０】
側面１２ａ，１２ｂはそれぞれ、互いに対向して配置され、その一部の領域を除いて可撓性を有する２枚のアルミシートが重ね合わされて構成されている。側面１２ａ，１２ｂの天面側の端辺に沿う領域を第１の辺とした等脚台形領域１４ａと、側面１２ａ，１２ｂの底面１３側の端辺から所定の幅を有する領域と、その領域の底面１３とは反対側の辺を第１の辺とする等脚台形領域１４ｂとが、２枚のアルミシートが重ね合わされて構成されている。なお、等脚台形領域１４ａ，１４ｂは、第１の辺間に第２の辺を共通に有し、第１の辺が第２の辺よりも長くなっている。また、等脚台形領域１４ａ，１４ｂの脚と側面１２ａ，１２ｂの側面１２ｃ，１２ｄとの連接辺とで囲まれた三角領域１６ａ，１６ｂが、１枚のアルミシートから構成されている。２枚のアルミシートが重ね合わされた等脚台形領域１４ａ，１４ｂは、その周囲にステッチ１５が形成されており、それにより、三角領域１６ａ，１６ｂとの境界部分及び等脚台形領域１４ａ，１４ｂの境界部分が折り畳まれやすくなっている。これにより、互いに対向する１組の側面１２ａ，１２ｂはそれぞれ、側面１２ａ，１２ｂの上下の端辺に沿う領域をそれぞれ第１の辺とし、第１の辺間に第２の辺を共通に有し、第１の辺が第２の辺よりも長い２つの等脚台形領域１４ａ，１４ｂからなる領域が、等脚台形領域１４ａ，１４ｂの外側のうち、等脚台形領域１４ａ，１４ｂの脚と側面１２ａ，１２ｂの側面１２ｃ，１２ｄとの連接辺とで囲まれた領域よりも硬く、かつ、第２の辺にて折り畳み可能に構成されている。また、等脚台形領域１４ａのうち収納容器の外側となる面に面ファスナー３２が取り付けられている。側面１２ａ，１２ｂには、収納容器の内側となる面に重ね合わされるように断熱板２２ａ，２２ｂが配置されている。また、側面１２ａ，１２ｂのうち、収納容器の天面側の端辺には、フラップ部５１ａ，５１ｂがそれぞれ連接している。
【００２１】
フラップ部５１ａ，５１ｂには、フラップ部５１ａ，５１ｂが折り畳まれた場合に収納容器の内側となる面に、側面１２ａ，１２ｂとの連接辺に沿って面ファスナー３６が取り付けられており、また、フラップ部５１ａ，５１ｂが折り畳まれた場合に収納容器の外側となる面のうちフラップ部５１ａ，５１ｂの長手方向中央部に面ファスナー３５が取り付けられている。
【００２２】
断熱板２２ａ，２２ｂは、その全面がアルミシートで覆われており、側面１２ａ，１２ｂの幅と同等の幅を有している。断熱板２２ａ，２２ｂは、側面１２ａ，１２ｂの高さから断熱板２３及び後述する断熱板２２ｃ，２２ｄを重ね合わせた厚さを減じた高さを有しており、断熱板２３の端辺に取り付けられた非折り曲げ部２５上に起立した状態で側面１２ａ，１２ｂに重ね合わされ、非折り曲げ部２５との当接面のうち重ね合わされた側面１２ａ，１２ｂとは反対側の辺が非折り曲げ部２５に縫合等によって接合されている。それにより、断熱板２２ａ，２２ｂはそれぞれ、底面１３側の端辺を中心として側面１２ａ，１２ｂに重ね合わされた状態から底面１３に対向する状態まで回動自在に構成されている。
【００２３】
非折り曲げ部２５は、その高さが、断熱板２２ｃ，２２ｄを重ね合わせた厚さと同等のものとなっており、それにより、断熱板２２ｃ，２２ｄが底面１３に対向する状態とされた後に断熱板２２ａ，２２ｂが底面１３と対向する状態とされると、図２（ｂ）に示すように、断熱板２２ａ，２２ｂの上面が底面１３と略平行な状態となる。なお、非折り曲げ部２５は、断熱板２２ａ，２２ｂと同等の材料から構成することが考えられるが、本願発明における断熱板を構成するものではない。
【００２４】
側面１２ｃ，１２ｄは、互いに対向して配置され、可撓性を有する２枚のアルミシートが重ね合わされて構成されている。側面１２ｃ，１２ｄには、収納容器の内側となる面に重ね合わされるように断熱板２２ｃ，２２ｄが配置されている。
【００２５】
断熱板２２ｃ，２２ｄは、その全面がアルミシートで覆われており、側面１２ｃ，１２ｄの幅から断熱板２２ａ，２２ｂの厚さを減じた幅を有している。断熱板２２ｃは、側面１２ｃの高さから断熱板２３の厚さを減じた高さを有しており、断熱板２３の端辺に起立した状態で側面１２ｃに重ね合わされ、断熱板２３との当接面のうち側面１２ｃとは反対側の辺が断熱板２３に縫合等によって接合されている。それにより、断熱板２２ｃは、底面１３側の端辺を中心として側面１２ｃに重ね合わされた状態から底面１３に対向する状態まで回動自在に構成されている。断熱板２２ｄは、側面１２ｄの高さから断熱板２２ｃ及び断熱板２３の厚さを減じた高さを有しており、断熱板２３の端辺に取り付けられた非折り曲げ部２４上に起立した状態で側面１２ｄに重ね合わされ、非折り曲げ部２４との当接面のうち側面１２ｄとは反対側の辺が非折り曲げ部２４に縫合等によって接合されている。それにより、断熱板２２ｄは、底面１３側の端辺を中心として側面１２ｄに重ね合わされた状態から底面１３に対向する状態まで回動自在に構成されている。なお、非折り曲げ部２４は、断熱板２２ｄと同等の材料から構成することが考えられるが、本願発明における断熱板を構成するものではない。
【００２６】
断熱板２２ｃ，２２ｄは、それぞれが底面１３に対向する状態とされると、一部が互いに重なり合う高さを有している。そのため、非折り曲げ部２４の高さが、断熱板２２ｃの厚さと同等のものとなっており、それにより、断熱板２２ｃが底面１３に対向する状態とされた後に断熱板２２ｄが底面１３と対向する状態とされると、図３（ｂ）に示すように、断熱板２２ｄの上面が底面１３と略平行な状態となる。
【００２７】
以下に、上記のように構成された保冷箱１の使用方法について説明する。
【００２８】
まず、保冷箱１の折り畳み方法について説明する。
【００２９】
図４は、図１〜図３に示した保冷箱１の折り畳み方法を説明するための外観斜視図である。
【００３０】
図１〜図３に示した保冷箱１を折り畳む場合はまず、図４（ａ）に示すように、蓋部１１ａ，１１ｂ及びフラップ部５１ａ，５１ｂが開いた状態で、断熱板２２ｃ，２２ｄを倒していく。
【００３１】
図５は、図１〜図３に示した保冷箱１において断熱板２２ｃ，２２ｄを倒していく際の作用を説明するための断面図である。
【００３２】
図１〜図３に示した保冷箱１において断熱板２２ｃ，２２ｄを倒していく場合はまず、図５（ａ）に示すように、断熱板２２ｃを、底面１３側の端辺の断熱板２３との接合部分を中心として、側面１２ｃに重ね合わされた状態から回動させ、断熱板２３に当接させて断熱板２３上に載置された状態とする。これにより、断熱板２２ｃは、底面１３に対向した状態となる。
【００３３】
次に、図５（ｂ）に示すように、断熱板２２ｄを、底面１３側の端辺の非折り曲げ部２４との接合部分を中心として、側面１２ｄに重ね合わされた状態から回動させていく。すると、上述したように、断熱板２２ｃ，２２ｄは、それぞれが底面１３に対向する状態とされた場合に、一部が互いに重なり合う高さを有していることから、図５（ｃ）に示すように、断熱板２２ｄの非折り曲げ部２４との接合部分とは反対側の辺側の領域が、断熱板２２ｃに当接し、底面１３に対向した状態となる。この際、非折り曲げ部２４の高さが、断熱板２２ｃの厚さと同等のものとなっているため、断熱板２２ｄの上面が底面１３と略平行な状態となる。
【００３４】
このようにして断熱板２２ｃ，２２ｄを倒して底面１３と対向する状態とした後、図４（ｂ）に示すように、断熱板２２ａ，２２ｂを倒していく。
【００３５】
図６は、図１〜図３に示した保冷箱１において断熱板２２ａ，２２ｂを倒していく際の作用を説明するための断面図である。
【００３６】
図１〜図３に示した保冷箱１において、断熱板２２ｃ，２２ｄを上記のようにして倒して底面１３と対向する状態とした後、断熱板２２ａ，２２ｂを倒していく場合は、断熱板２２ａ，２２ｂがそれぞれ、底面１３に対向する状態とされた場合に、互いに重なり合わない高さを有していることから、図６（ａ）に示すように、断熱板２２ａ，２２ｂを同時に倒していくことができる。
【００３７】
そして、上述したように、底面１３に取り付けられた断熱板２３上には、その一部が重なり合った状態で倒された断熱板２２ｃ，２２ｄが載置された状態となっているため、図６（ｂ）に示すように、断熱板２２ｃ，２２ｄのうち上側となった断熱板２２ｄ上に断熱板２２ａ，２２ｂが載置された状態となる。その際、上述したように、非折り曲げ部２５の高さが、断熱板２２ｃ，２２ｄを重ね合わせた厚さと同等のものとなっているため、断熱板２２ａ，２２ｂが倒されて底面１３に対向した状態においては、断熱板２２ａ，２２ｂの上面が底面１３と略平行な状態となる。
【００３８】
このようにして断熱板２２ａ〜２２ｄが全て倒されて底面１３に対向する状態とされると、側面１２ａ〜１２ｄがアルミシートから構成されていることで側面１２ａ〜１２ｄの自立性がなくなり、収納容器の上端部を下方に押し付けるようにすると、図４（ｃ）に示すように、収納容器を折り畳むことができる。
【００３９】
ここで、収納容器を折り畳む際の側面１２ａ〜１２ｄの作用について説明する。
【００４０】
図７は、図１〜図３に示した保冷箱１において収納容器を折り畳む際の側面１２ａ〜１２ｄの作用を説明するための図であり、保冷箱１を天面側から見た図である。
【００４１】
図１〜図３に示した保冷箱１においては、上述したように、収納容器の４つの側面のうち互いに対向する１組の側面１２ａ，１２ｂがそれぞれ、その側面１２ａ，１２ｂの上下の端辺に沿う領域をそれぞれ第１の辺とし、第１の辺間に第２の辺を共通に有し、第１の辺が第２の辺よりも長い２つの等脚台形領域１４ａ，１４ｂから構成される領域が、等脚台形領域１４ａ，１４ｂの外側のうち、２つの等脚台形の脚と側面１２ａ，１２ｂの側面１２ｃ，１２ｄとの連接辺とで囲まれた三角領域１６ａ，１６ｂよりも硬く、かつ、第２の辺にて折り畳み可能に構成されているので、側面１２ａ，１２ｂにおいては、図７（ａ）に示すように折り畳まれていない状態から、収納容器の上端部を下方に押し付けるようにすると、図７（ｂ）に示すように、２つの等脚台形領域１４ａ，１４ｂが、第２の辺となる部分が頂点となって収納容器の内側に向かって凸となるように折り畳まれていくとともに、側面１２ａ，１２ｂが２つの等脚台形領域１４ａ，１４ｂの外形に沿って折り畳まれ、２つの略等脚台形の脚と、側面１２ａ，１２ｂの側面１２ｃ，１２ｄとの連接辺とで囲まれた三角領域１６ａ，１６ｂが、等脚台形領域１４ａ，１４ｂに挟まれるように折り畳まれていく。
【００４２】
そして、側面１２ａ，１２ｂがこのように折り畳まれていくことで、図７（ｃ）に示すように、側面１２ｃ，１２ｄにおいては、側面１２ａ，１２ｂとの連接部分の近傍が、等脚台形領域１４ａ，１４ｂに挟まれるように横方向に二つ折りに折り畳まれていく。
【００４３】
このようにして側面１２ａ〜１２ｄが折り畳まれた後、図４（ｄ）に示すように、蓋部１１ｂを閉じた後に蓋部１１ａを閉じて、蓋部１１ａの面ファスナー３１と蓋部１１ｂの面ファスナーとを接合させ、また、フラップ部５１ａ，５１ｂを折り畳んで蓋部１１ａ，１１ｂの面ファスナーにフラップ部５１ａ，５１ｂの面ファスナー３６を接合させ、さらに、底面１３に取り付けられたベルト２８を保冷箱１の側面１２ａ，１２ｂにかけてベルト２８の面ファスナー３３とフラップ部５１ａ，５１ｂの面ファスナー３５とを接合させ、保冷箱１を折り畳み状態とする。
【００４４】
このように保冷箱１が折り畳まれることになるが、側面１２ａ，１２ｂが上記のような構成を有しているため、４つの断熱板２２ａ〜２２ｄを、収納容器の側面１２ａ〜１２ｄに重ね合わされた状態から底面１３に対向する状態にそれぞれ回動させた後、収納容器の上端部を下方に押し付けるようにすることで、収納容器がくしゃくしゃにならずに決められた形状に折り畳まれていき、それにより、断熱板を有する構成においても素早く容易に折り畳むことができる。
【００４５】
上述したようにして折り畳まれた保冷箱１は、側面１２ｄが上側となるように抱えた状態で取っ手２９を掴めば、蓋部１１ａ，１１ｂが開くことなく簡単に持ち運ぶことができる。
【００４６】
なお、等脚台形領域１４ａ，１４ｂは、第１の辺と第２の辺とが平行とならず、また、脚部が等しい長さとならない台形に近い形状であってもよく、これらを含めて略等脚台形領域と定義する。
【００４７】
次に、上記のようにして折り畳まれた保冷箱１の組み立て方法について説明する。
【００４８】
図８は、図１〜図３に示した保冷箱１の組み立て方法を説明するための外観斜視図である。
【００４９】
上記のようにして折り畳まれた保冷箱１を組み立てる場合はまず、図８（ａ）に示すように、フラップ部５１ａ，５１ｂの面ファスナー３５からベルト２８の面ファスナー３３を剥離し、蓋部１１ａ，１１ｂの面ファスナーからフラップ部５１ａ，５１ｂの面ファスナー３６を剥離してフラップ部５１ａ，５１ｂを開き、さらに、蓋部１１ａの面ファスナー３１から蓋部１１ｂの面ファスナーを剥離して蓋部１１ａ，１１ｂを開く。
【００５０】
そして、収納容器の上端部を上方に引き上げるようにして側面を伸ばした後、図８（ｂ）に示すように、断熱板２２ａ，２２ｂをそれぞれ、底面１３側の端辺の非折り曲げ部２５との接合部分を中心として、底面１３に対向した状態から回動させ、側面１２ａ，１２ｂに重ね合わされた状態とする。この際、側面１２ａ，１２ｂが、等脚台形領域１４ａ，１４ｂが硬いことで略伸張状態となりやすくなり、断熱板２２ａ，２２ｂを、底面１３に対向した状態から側面１２ａ，１２ｂに重ね合わされた状態まで回動させやすくなる。
【００５１】
断熱板２２ａ，２２ｂを側面１２ａ，１２ｂに重ね合わされた状態とした後、図８（ｃ）に示すように、断熱板２２ｄを、底面１３側の端辺の非折り曲げ部２４との接合部分を中心として、底面１３に対向した状態から回動させ、側面１２ｄに重ね合わされた状態とする。また、断熱板２２ｃを、底面１３側の端辺の断熱板２３との接合部分を中心として、底面１３に対向した状態から回動させ、側面１２ｃに重ね合わされた状態とする。
【００５２】
断熱板２２ｃ，２２ｄがそれぞれ側面１２ｃ，１２ｄに重ね合わされた状態となると、断熱板２２ｃ，２２ｄの幅がそれぞれ、側面１２ｃ，１２ｄの幅から断熱板２２ａ，２２ｂの厚さを減じた幅となっているため、図８（ｄ）に示すように、断熱板２２ｃ，２２ｄの両端部が断熱板２２ａ，２２ｂと当接した状態となり、それにより、断熱板２２ａ〜２２ｄが側面１２ａ〜１２ｄに重ね合わされた状態に保持されることとなる。
【００５３】
このようにして保冷箱１が組み立てられることになるが、側面１２ａ，１２ｂが上記のような構成を有して折り畳まれているため、収納容器の上端部を上方に引き上げるようにして側面を伸ばした後、４つの断熱板２２ａ〜２２ｄを、収納容器の底面１３に対向した状態から側面１２ａ〜１２ｄに重ね合わされる状態にそれぞれ回動させることで、素早く容易に組み立てることができ、断熱板を有する構成においても素早く容易に組み立てることができる。
【００５４】
なお、本形態においては、等脚台形領域１４ａ，１４ｂが２枚のアルミシートが重ね合わされて構成されるとともに、等脚台形領域１４ａ，１４ｂの境界部分にステッチ１５が形成されており、また、三角領域１６ａ，１６ｂが１枚のアルミシートから構成されていることにより、等脚台形領域１４ａ，１４ｂからなる領域が、等脚台形領域１４ａ，１４ｂの脚と側面１２ａ，１２ｂの側面１２ｃ，１２ｄとの連接辺とで囲まれた三角領域１６ａ，１６ｂよりも硬く、かつ、等脚台形領域１４ａ，１４ｂの境界部分にて折り畳み可能に構成されているが、等脚台形領域１４ａ，１４ｂと三角領域１６ａ，１６ｂとの材質や厚さを異ならせることで、等脚台形領域１４ａ，１４ｂが三角領域１６ａ，１６ｂよりも硬くなる構成としてもよい。
【００５５】
また、収納容器の天面が、２つの蓋部１１ａ，１１ｂによって開閉自在に構成されているが、側面１２ａ〜１２ｄのうち１つの側面と連接した１つの蓋部によって開閉自在に構成されていてもよく、蓋部が取り外し可能なものであってもよい。
【００５６】
また、蓋部１１ａ，１１ｂ及び底面１３は、可撓性を有さないシートから構成されていてもよい。
【００５７】
さらに、収納容器の形状は、直方体ではなく立方体であってもよい。ただし、収納容器の形状が立方体である場合は、上述した断熱板２２ａ，２２ｂについても、底面１３に対向する状態とされた場合にその一部が重なり合うものとなるため、非折り曲げ部２５の高さを互いに異ならせる必要がある。
【００５８】
（他の実施の形態）
図９は、本発明の保冷箱の他の実施の形態を示す外観斜視図であり、（ａ）は天面が開かれた状態を示す図、（ｂ）は天面が閉じられた状態を示す図、（ｃ）は折り畳まれた状態を示す図である。
【００５９】
本形態は図９に示すように、図１〜図３に示したものに対して、蓋部１１１ａ，１１１ｂの側面１１２ｃ，１１２ｄとの連接方向の長さが大きく異なり、それにより、蓋部１１１ａ，１１１ｂに取り付けられた断熱板１２１ａ，１２１ｂの形状が互いに異なっている点が異なるものである。これは、本形態の保冷箱１０１においては、蓋部１１１ａの側面１２１ｃとの連接方向の長さを、側面１１２ｃの高さと同等としていることで、蓋部１１１ａの長さが、蓋部１１１ｂの長さよりも、蓋部１１１ａ，１１１ｂが閉じられた際に蓋部１１１ｂに重なり合う領域の幅以上に長くなっていることによるものである。
【００６０】
以下に、上記のように構成された保冷箱１０１による特有の効果について説明する。
【００６１】
図１０は、図９に示した保冷箱１０１において断熱板１２２ａ〜１２２ｄがそれぞれ底面１１３に対向する状態に倒された状態を示す断面図である。
【００６２】
断熱板１２２ａ〜１２２ｄが全て倒されて底面１１３に対向している状態においては、側面１１２ａ〜１１２ｄがアルミシートから構成されていることで側面１１２ａ〜１１２ｄの自立性がなくなっているが、蓋部１１１ａの側面１２１ｃとの連接方向の長さが、側面１１２ｃの高さと同等となっており、蓋部１１１ａにはその略全面に断熱板１２１ａが取り付けられているため、図１０に示すように、側面１１２ｃが起立した状態となる。それにより、保冷箱１０１を組み立てる際に、底面１１３と対向した状態となっている断熱板１２２ａ，１２２ｂを側面１１２ａ，１１２ｂに重ね合わされる状態まで回動させやすくなる。
【００６３】
なお、蓋部１１１ａの断熱板１２１ａが取り付けられていない領域においては、一定の強度を保持するために２枚のアルミシート間に、ポリプロピレンからなる１ｍｍ厚の樹脂シートが介在しているため、この樹脂シートによっても側面１１２ｃが支えられることとなるが、断熱板１２１ａが蓋部１１１ａの略全面に取り付けられていることにより、蓋部１１１ａの断熱板１２１ａが取り付けられていない領域に樹脂シートが介在していなくても、側面１１２ｃが起立した状態が保持される。なお、蓋部１１１ａの周縁部にステッチ（不図示）を形成することによっても、蓋部１１１ａの断熱板１２１ａが取り付けられていない領域の強度を高めることができる。
【００６４】
図１１は、本発明の保冷箱の他の実施の形態を示す外観斜視図であり、（ａ）は天面が開かれた状態を示す図、（ｂ）は天面が閉じられた状態を示す図、（ｃ）は折り畳まれた状態を示す図である。
【００６５】
本形態は図１１に示すように、図１〜図３に示したものに対して、側面２１２ｄ及びそれに対向する側面（図１１には表れていない）、並びに側面２１２ａ及びそれに対向する側面（図１１には表れていない）の構成が異なるものである。
【００６６】
本形態における側面２１２ｄ及びそれに対向する側面はそれぞれ、蓋部１１ａ，１１ｂ側の上側領域２１７ａと、底面側の下側領域２１７ｂとからなる。上側領域２１７ａは、１枚のアルミシートの保冷箱２０１の内側の面に生地（布）が重ね合わされて構成されており、下側領域２１７ｂは、１枚のアルミシートから構成されている。それにより、上側領域２１７ａが下側領域２１７ｂよりも硬くなっている。これら上側領域２１７ａと下側領域２１７ｂとの境界には、ステッチ２１８が形成されている。ステッチ２１８は、等脚台形領域１４ａ，１４ｂの第２の辺と同じ高さにおいて、側面２１２ｄ及びそれに対向する側面と蓋部１１ｂ，１１ａとの境界にそれぞれ並行して延びている。
【００６７】
また、本形態における側面２１２ａ及びそれに対向する側面はそれぞれ、三角領域１６ａ，１６ｂのそれぞれに、側面２１２ｄ及びそれに対向する側面に形成されたステッチ２１８から延びたステッチ２１９が形成されている。
【００６８】
上記のように構成された保冷箱２０１においても、図１〜図３に示したものと同様にして折り畳まれたり、組み立てられたりする。その際、側面２１２ｄ及びそれに対向する側面においては、上側領域２１７ａと下側領域２１７ｂとの境界にステッチ２１８が形成されていることにより、上側領域２１７ａと下側領域２１７ｂとの境界部分が折り畳まれやすくなっている。また、側面２１２ａ及びそれに対向する側面においても、三角領域１６ａ，１６ｂが、ステッチ２１９を介して折り畳まれやすくなっている。さらに、上側領域２１７ａが下側領域２１７ｂよりも硬くなっていることにより、上側領域２１７ａが伸長した状態が維持されたまま保冷箱２０１が折り畳まれることになり、側面２１２ｄ及びそれに対向する側面がくしゃくしゃになりにくくなる。
【００６９】
なお、図１及び図９に示した保冷箱１，１０１においても、側面１２ａ，１１２ａ及びそれに対向する側面の三角領域１６ａ，１６ｂ，１１６ａ，１１６ｂのそれぞれに、図１１に示したステッチ２１９と同様のステッチが形成されていてもよい。
【符号の説明】
【００７０】
１，１０１，２０１    保冷箱
１１ａ，１１ｂ，１１１ａ，１１１ｂ    蓋部
１２ａ〜１２ｄ，１１２ａ〜１１２ｄ，２１２ａ，２１２ｄ    側面
１３，１１３    底面
１４ａ，１４ｂ，１１４ａ，１１４ｂ    等脚台形領域
１５，１１５，２１８，２１９    ステッチ
１６ａ，１６ｂ，１１６ａ，１１６ｂ    三角領域
２１ａ，２１ｂ，２２ａ〜２２ｄ，２３，１２１ａ，１２１ｂ，１２２ａ〜１２２ｄ，１２３    断熱板
２４，２５，１２４    非折り曲げ部
２８，１２８    ベルト
２９，１２９    取っ手
３１〜３３，３５，３６，１３１〜１３３，１３５，１３６    面ファスナー
５１ａ，５１ｂ，１５１ａ，１５１ｂ    フラップ部
２１７ａ    上側領域
２１７ｂ    下側領域
【図１】
2017095176.tif 000003
【図２】
2017095176.tif 000004
【図３】
2017095176.tif 000005
【図４】
2017095176.tif 000006
【図５】
2017095176.tif 000007
【図６】
2017095176.tif 000008
【図７】
2017095176.tif 000009
【図８】
2017095176.tif 000010
【図９】
2017095176.tif 000011
【図１０】
2017095176.tif 000012
【図１１】
2017095176.tif 000013